(57)【要約】【課題】工具等を用いずに、光源部を迅速に交換することが可能なプロジェクタを提供する。【解決手段】光源部７が射出した光束を画像信号に応じて変調し、形成した画像光を投射するプロジェクタ１であって、光源部７は、光学ユニット８へ載置され、略Ｕ字形をなし光源部７の側面に軸支されたレバー７２が第１の位置にある場合、レバー側固定部７２ｂが筐体側固定部７８と係合して光学ユニット８への固定が可能であり、第１の弾性部材である固定用ねじりコイルばね７３の弾性力Ｐ３により固定が保持される。また、レバー７２が第２の位置にある場合、レバー側固定部７２ｂが筐体側固定部７８から外れて光学ユニット８への固定が解除でき、第２の弾性部材である解除用ねじりコイルばね７４の弾性力Ｑ１により固定の解除が保持される。【選択図】図５
2010085555.tif 000002
【特許請求の範囲】
【請求項１】
光源部が射出した光束を画像信号に応じて変調し、形成した画像光を投射するプロジェ
クタであって、
前記光源部は、前記プロジェクタの筐体へ着脱自在に設置され、略Ｕ字形をなし前記光
源部の側面に軸支されたレバーを有し、
前記光源部が前記筺体に設置された時に、
前記レバーが第１の位置にある場合、前記筐体への固定が可能であり、
前記レバーが第２の位置にある場合、前記筐体への固定が解除されていることを特徴と
するプロジェクタ。
【請求項２】
請求項１に記載のプロジェクタにおいて、
前記光源部は、
前記レバーを前記第１の位置に保持するための弾性力を付与する第１の弾性部材と、
前記レバーを前記第２の位置に保持するための弾性力を付与する第２の弾性部材と、を
有することを特徴とするプロジェクタ。
【請求項３】
請求項２に記載のプロジェクタにおいて、
前記第１の弾性部材および前記第２の弾性部材は、一端が前記レバーと係止し他端が前
記光源部の本体部と係止している、ねじりコイルばねであることを特徴とするプロジェク
タ。
【請求項４】
請求項１から３のいずれか一項に記載のプロジェクタにおいて、
前記筐体は、前記レバーが係合して前記光源部を固定するための筐体側固定部を有し、
前記レバーは、前記レバーが前記第１の位置にある場合に前記筐体側固定部と係合する
レバー側固定部を有していることを特徴とするプロジェクタ。
【請求項５】
請求項１から４のいずれか一項に記載のプロジェクタにおいて、
前記レバーは、前記第１の位置と前記第２の位置との間を回動移動するための回動中心
を有することを特徴とするプロジェクタ。
【発明の詳細な説明】
【技術分野】
【０００１】
本発明は、交換式の光源部を備えたプロジェクタに関する。
【背景技術】
【０００２】
従来、光束を射出する光源部であるランプボックスは、プロジェクタの内部にネジで固
定されている構造が主である。従って、ランプボックスを交換するためには、ネジの取り
外しおよび取り付けの操作をするための工具であるドライバ等を、ネジ操作用部材として
別途に用意しておく必要があった。
【０００３】
そこで、ネジ操作用部材を別途に用意していない場合でも、ランプボックスの交換が可
能となるように、ネジ操作用部材をランプボックスへ着脱自在に取り付けたプロジェクタ
が開示されている。このプロジェクタでは、ランプボックスからネジ操作用部材を取り外
せば、いつでもネジの操作が可能であり、即、ランプボックスの交換が行える（例えば特
許文献１）。
【０００４】
また、ネジ操作用部材そのものを着脱自在に備えることに替えて、ランプボックスを交
換するための開口を開閉するランプドアに、リブが立設されていて、このリブの先端がネ
ジと係合するように形成されている構成のプロジェクタも開示されている。即ち、リブの
先端は、ネジ操作用部材と同等の操作が可能な工具になっている（例えば特許文献２）。
【０００５】
【特許文献１】特開２００５−３０１０９０号公報
【特許文献２】特開２００４−３４７７８９号公報
【発明の開示】
【発明が解決しようとする課題】
【０００６】
しかし、従来の技術では、いずれも、ネジ操作用部材またはリブ等の工具を用いてネジ
の取り外しおよび取り付けを行う、手間のかかる操作が必要であった。そのため、より迅
速にランプボックスを交換したい旨の要望に十分応えられない、という課題があった。
【課題を解決するための手段】
【０００７】
本発明は、上記課題の少なくとも一部を解決するためになされたものであり、以下の適
用例または形態として実現することが可能である。
【０００８】
［適用例１］本適用例に係るプロジェクタは、光源部が射出した光束を画像信号に応じ
て変調し、形成した画像光を投射する機器であって、前記光源部は、前記プロジェクタの
筐体へ着脱自在に設置され、略Ｕ字形をなし前記光源部の側面に軸支されたレバーを有し
、前記光源部が前記筺体に設置された時に、前記レバーが第１の位置にある場合、前記筐
体への固定が可能であり、前記レバーが第２の位置にある場合、前記筐体への固定が解除
されていることを特徴とする。
【０００９】
このプロジェクタによれば、光源部は、光源部の側面に軸支されたレバーの位置を回動
させることによって、筐体に対して着脱することが可能である。つまり、光源部が筐体内
の所定部へ載置され、レバーが第１の位置にあれば、光源部は、レバーによって所定部へ
固定された状態となっている。一方、レバーが第２の位置にあれば、光源部は、レバーに
よる固定が解除されており、レバーを把持して筐体からの取り出しが可能な状態となって
いる。このように、光源部の有するレバーの位置によって、光源部の固定または固定の解
除がなされるため、光源部の交換等を容易に且つ迅速に行うことが可能である。さらに、
光源部の交換等のために工具を用意してネジを回すなどの、手間のかかる操作をする必要
がないため、誰でも簡単に光源部の固定および固定の解除ができ、光源部の交換等を行え
る。
【００１０】
［適用例２］上記適用例に係るプロジェクタにおいて、前記光源部は、前記レバーを前
記第１の位置に保持するための弾性力を付与する第１の弾性部材と、前記レバーを前記第
２の位置に保持するための弾性力を付与する第２の弾性部材と、を有することが好ましい
。
【００１１】
この構成によれば、第１の位置にあって光源部を固定している状態のレバーは、第１の
弾性部材によって弾性力を付与されることにより、第１の位置を保持している。この時、
第２の弾性部材は、第１の弾性部材の弾性力に抗する方向の弾性力をレバーにほとんど作
用させていないことが望ましい。また、第２の位置にあって光源部の固定を解除している
状態のレバーは、第２の弾性部材によって弾性力を付与されることにより、第２の位置を
保持している。この時、第１の弾性部材は、第２の弾性部材の弾性力に抗する方向の弾性
力をレバーにほとんど作用させていないことが望ましい。このように、レバーは、第１の
位置または第２の位置に保持されるように、第１の弾性部材または第２の弾性部材による
弾性力を利用した単純な構成である。そのため、レバーは、付加部品として光源部への取
り付けが容易であり、コスト増の抑制も図れる。さらに、光源部は、弾性力で筐体へ固定
されているので、筐体が振動等に晒されても筐体との密着状態を維持でき、ネジ固定等と
ほぼ同様に確実な固定が可能である。
【００１２】
［適用例３］上記適用例に係るプロジェクタにおいて、前記第１の弾性部材および前記
第２の弾性部材は、一端が前記レバーと係止し他端が前記光源部の本体部と係止している
、ねじりコイルばねであることが好ましい。
【００１３】
この構成によれば、ねじりコイルばねは、光源部の本体部と係止している端部が支点に
なり、レバーと係止されている他端部がレバーに対してばね力を弾性力として付与する。
この場合、レバーが第１の位置にあれば、第１の弾性部材としてのねじりコイルばねは、
他端部がレバーを第１の位置へ保持するための弾性力をレバーへ付与するような、姿勢と
なっている。この時、第２の弾性部材としてのねじりコイルばねは、他端部が第１の弾性
部材としてのねじりコイルばねの弾性力に抗する方向の弾性力をレバーにほとんど作用さ
せない、姿勢であることが望ましい。一方、レバーが第２の位置にあれば、第２の弾性部
材としてのねじりコイルばねは、他端部がレバーを第２の位置へ保持するための弾性力を
レバーへ付与するような、姿勢となっている。この時、第１の弾性部材としてのねじりコ
イルばねは、他端部が第２の弾性部材としてのねじりコイルばねの弾性力に抗する方向の
弾性力をレバーにほとんど作用させない、姿勢であることが望ましい。このように、レバ
ーには、第１の位置において第１の弾性部材としてのねじりコイルばねが主に作用し、第
２の位置において第２の弾性部材としてのねじりコイルばねが主に作用する。そのため、
レバーの位置によって、光源部の固定または固定の解除が確実に行える。
【００１４】
［適用例４］上記適用例に係るプロジェクタにおいて、前記筐体は、前記レバーが係合
して前記光源部を固定するための筐体側固定部を有し、前記レバーは、前記レバーが前記
第１の位置にある場合に前記筐体側固定部と係合するレバー側固定部を有していることが
好ましい。
【００１５】
この構成によれば、光源部は、レバーが第１の位置にある場合のみ、レバー側固定部が
筐体側固定部と係合して、筐体へ固定されるようになっている。このように、光源部は、
レバーの位置によって、レバー側固定部が筐体側固定部と係合または非係合となる単純な
構成でありながら、筐体への確実な固定および筐体からの容易な取り外しが可能である。
【００１６】
［適用例５］上記適用例に係るプロジェクタにおいて、前記レバーは、前記第１の位置
と前記第２の位置との間を回動移動するための回動中心を有することが好ましい。
【００１７】
この構成によれば、レバーは、回動中心を中心にして、第１の位置および第２の位置の
間を回動することにより、位置の移動が可能である。従って、レバーの操作は、例えばレ
バーを倒すまたはレバーを起こすという簡単なものであり、さらに、レバーの位置により
、レバーが第１の位置または第２の位置なのかも容易に判別が可能である。
【発明を実施するための最良の形態】
【００１８】
以下、プロジェクタの具体的な実施形態について、図面に従って説明する。本実施形態
のプロジェクタは、光束を射出する光源部の取り付け機構に特徴を有している。
（実施形態）
【００１９】
図１（ａ）は、本実施形態に係るプロジェクタを正面上方から見た斜視図であり、図１
（ｂ）は、プロジェクタを正面下方から見た斜視図である。図１（ａ）、図１（ｂ）に示
すように、プロジェクタ１は、略直方体形状の外観をなしていて、プロジェクタ１の機構
部を収容する筐体である上部外装２、および下部外装３を有している。上部外装２は、プ
ロジェクタ１の上部側に配置され、上面、正面、背面、右側面および左側面を形成してい
る。上部外装２の上面には、背面側左方に位置し、光源部を交換するために開閉可能な光
源蓋２ａと、上面の略中央部に位置し、プロジェクタ１を操作するための操作ボタン類を
有する操作部２ｂと、正面側右方にあって開閉取っ手１０ａにより開閉自在にスライドし
て、開状態において投射部８５からの光束の投射を可能にし、閉状態において塵埃等の投
射部８５への付着を防止するための投射部カバー１０と、が設けられている。
【００２０】
そして、下部外装３は、プロジェクタ１の正面、右側面、左側面、背面および下面を形
成している。下部外装３の下面３ａには、投射部８５の直下に、機構部を冷却する冷却空
気を筐体の内部へ取り入れるための吸気口４が設けられ、左側面には、機構部を冷却した
冷却空気を排気するための排気口５が設けられている。また、下面３ａには、筐体の傾き
を調整するための３本の脚部６が設けられ、下面３ａの正面右側には、プロジェクタ１を
無線制御するリモコンに対応する受信部１１が設けられている。このプロジェクタ１は、
光束が投射されるスクリーン等を見る側と同じ側に設置される、いわゆるフロントタイプ
のものである。
【００２１】
次に、筐体の内部に収容されている機構部について説明する。図２は、プロジェクタの
機構部の構成を示す斜視図である。図２に示すように、プロジェクタ１の機構部は、吸気
口４（図１）から冷却空気を吸引して取り入れるための吸気ファン１５と、吸気ファン１
５が取り込んだ冷却空気を機構部へ導くためのダクト１７と、吸気ファン１５に隣接し光
束を投射するための既述した投射部８５と、下部外装３の正面左方にあって一端が排気口
５（５ａ）と対向して位置する電源部１８と、電源部１８の背面側に排気口５（５ｂ）に
対して斜めに対向して位置する排気ユニット１６と、を有している。さらに、機構部は、
排気ユニット１６から投射部８５にかけて上面側から見て略Ｌ字状に配置された光学ユニ
ット８（８１，８２，８３，８４，８５）と、光学ユニット８の上方に設けられた回路基
板２０と、回路基板２０の背面側に設けられ、外部機器とプロジェクタ１とを接続するた
めの数種の端子を有するコネクタ部２１と、スピーカ１９と、を有している。
【００２２】
プロジェクタ１の機構部の主部である光学ユニット８は、排気ユニット１６の近傍にあ
り光源部７を含むインテグレータ照明部８１と、色分離部８２と、リレー光学部８３と、
３枚の液晶パネル（不図示）を光学変調素子として有する光学変調部８４と、光学変調部
８４に接続されている投射部８５とで構成されている。このような構成の光学ユニット８
は、略Ｌ字状の支持体８７に収容されて、下部外装３の内底面に載置されている。この支
持体８７は、筐体の一部を形成しており、光源ランプおよびリフレクタ（共に不図示）を
有する光源部７が着脱自在に設けられている。
【００２３】
ここで、光学ユニット８の機能について、簡単に説明する。インテグレータ照明部８１
は、光源部７から平行な光束を射出し、この光束が、光学変調部８４において、赤、緑、
青の色光にそれぞれ対応して設けられている３枚の液晶パネルの画像形成領域を、レンズ
群（不図示）によってほぼ均一に照明するための光学系である。また、色分離部８２は、
インテグレータ照明部８１から射出された光束を赤、緑、青の３色の色光に分離するため
の光学系である。次のリレー光学部８３は、色分離部８２で分離された色光の内、液晶パ
ネルまでの経路の長い色光を導き、光束の拡散等による利用効率の低下を防止する機能を
有する光学系であり、この場合、赤色光がリレー光学部８３へ導かれている。そして、光
学変調部８４は、３枚の液晶パネルによって、それぞれの色光を画像情報に応じて変調し
て光学像を形成し、さらに、クロスダイクロイックプリズムによって色光毎に変調された
光学像を合成して、カラー画像を形成するための光学系である。このようにして形成され
たカラー画像は、投射部８５の投射レンズによって拡大して投射され、スクリーンに映像
として映し出される。
【００２４】
次に、光源部７の交換等において、光源部７を光学ユニット８のインテグレータ照明部
８１に対して着脱するための、機構について説明する。図３（ａ）は、光源部を取り外し
た状態の光学ユニットを示す斜視図、図３（ｂ）は、光源部を取り外した状態の光学ユニ
ットを示す正面図である。図３（ａ）および図３（ｂ）に示すように、光源部７は、光源
ランプおよびリフレクタ（共に不図示）を収容し略直方体をなす本体部７１と、本体部７
１の側端面に設けられ光束を本体部７１から外部へ射出するための射出口７１ａと、略Ｕ
字形をなし本体部７１の上方を跨ぐように設けられたレバー７２と、レバー７２へ弾性力
を付与してレバー７２を所定位置へ保持するための、第１の弾性部材である固定用ねじり
コイルばね（ねじりコイルばね）７３および第２の弾性部材である解除用ねじりコイルば
ね（ねじりコイルばね）７４と、を有している。
【００２５】
さらに、光源部７のレバー７２は、本体部７１に対して回動自在となるように、略Ｕ字
形の２つの腕が本体部７１の側面に設けられた回動中心７２ａによってそれぞれ軸支され
ている。回動中心７２ａは、本体部７１とレバー７２との位置関係をバランス良く保つよ
うに配置されていて、レバー７２を把持すれば、光源部７は、支持体８７との着脱および
取り外しての持ち運びが容易な構成となっている。また、レバー７２の略Ｕ字形の２つの
端部は、Ｌ字状に屈曲していて、屈曲した先端部には、略円形のレバー側固定部７２ｂが
それぞれ設けられている。そして、レバー側固定部７２ｂと係合して光源部７を固定する
ために、Ｌ字状の筐体側固定部７８が光学ユニット８の支持体８７に設けられている。こ
れらレバー側固定部７２ｂは、レバー７２の回動により、筐体側固定部７８と係合または
非係合となる設定である。なお、光源部７を固定するための、レバー７２の回動、固定用
ねじりコイルばね７３および解除用ねじりコイルばね７４の作用によるレバー側固定部７
２ｂと筐体側固定部７８との係合の詳細、については、図６、図７および図８を参照して
後述する。
【００２６】
このような構成の光源部７は、光源蓋２ａ（図１（ａ））を開けて、筐体内からの取り
出し、または筐体内への取り付けが行われる。筐体内への取り付け時において、光源部７
は、まず、射出口７１ａを色分離部８２の方向へ向けて、光学ユニット８の支持体８７へ
載置される。この状態におけるレバー７２は、光源部７を支持体８７から取り出して持ち
運びが可能な位置にあって、略Ｕ字形の２つの腕がほぼ鉛直方向となっている。この状態
のレバー７２の位置が第２の位置である。図４は、レバーが第２の位置にある状態の光源
部が載置された光学ユニットを示す斜視図である。図４は、光源部７が支持体８７の取り
付け箇所へ載置されただけの状態であり、レバー７２が、図５を参照して後述する第１の
位置へ回動して光源部７を固定する前の状態を示している。
【００２７】
図４に示す光源部７は、射出口７１ａ（図３）がインテグレータ照明部８１のレンズ群
と対向し、光源部７からの光束が射出口７１ａからレンズ群を介して色分離部８２へ射出
されるように、光学ユニット８へ載置される。また、レバー７２は、略Ｕ字形の２つの腕
がほぼ鉛直方向であり、レバー側固定部７２ｂが筐体側固定部７８から離反して正対する
位置にあるため、オペレータは、レバー７２を上方へ持ち上げれば、光源部７を光学ユニ
ット８から取り出すことができる状態である。この状態において、レバー７２は、解除用
ねじりコイルばね７４のばね力により、レバー７２の２つの腕がほぼ鉛直方向となるよう
に保持されている。ここから、レバー７２を、回動中心７２ａを中心にして図４に示す矢
印方向へ回動させると、光源部７を固定することができる。
【００２８】
図５は、レバーが第１の位置にあり光源部が固定された状態の光学ユニットを示す斜視
図である。図５に示すように、レバー７２は、略Ｕ字形の２つの腕が鉛直方向（図４）か
ら斜めに傾いている。レバー７２のこの傾きにより、レバー側固定部７２ｂが筐体側固定
部７８の方向へ回動し、筐体側固定部７８のＬ字状部と当接する。これにより、レバー側
固定部７２ｂと筐体側固定部７８とが、係合する。レバー側固定部７２ｂと筐体側固定部
７８との係合により、光源部７は、光学ユニット８の支持体８７へ確実に固定され、プロ
ジェクタ１の搬送による振動等が加えられても、光学ユニット８と一体となった位置関係
を保持することができる。この状態において、レバー７２は、固定用ねじりコイルばね７
３のばね力により、レバー側固定部７２ｂと筐体側固定部７８との係合を保持している。
このように、光源部７は、レバー７２の回動による固定後、レンズ群と共にインテグレー
タ照明部８１を形成する。
【００２９】
次に、固定用ねじりコイルばね７３および解除用ねじりコイルばね７４の作用について
説明する。図６は、レバーが第２の位置にある場合の各ねじりコイルばねの姿勢を示す側
面図である。図６に示す固定用ねじりコイルばね７３および解除用ねじりコイルばね７４
は、図３および図４におけるそれぞれの状態を示している。また、図６では、本体部７１
は、レバー７２を取り付ける部位のみを表してある。図６に示すように、レバー７２は、
略Ｕ字形の２つの腕が光源部７の本体部７１とそれぞれ対向し、本体部７１の対向する側
面の下部側にそれぞれ設けられた回動中心７２ａによって軸支されている。回動中心７２
ａは、２つの腕の長手方向と直交する幅方向に対して、ほぼ中央に設けられている。レバ
ー７２は、これら回動中心７２ａを結んで本体部７１の上方を跨ぐ略Ｕ字形（図３、図４
）をなしており、さらに、回動中心７２ａに対して略Ｕ字形をなす側と反対側の端部には
、レバー側固定部７２ｂを有している。
【００３０】
また、レバー７２のそれぞれの腕と本体部７１の側面との間には、固定用ねじりコイル
ばね７３または解除用ねじりコイルばね７４が設けられている。光源部７において、固定
用ねじりコイルばね７３は、光源部７を射出口７１ａ（図３）の側から見て、左側に１個
設けられており、解除用ねじりコイルばね７４は、同じく射出口７１ａの側から見て、右
側に１個設けられている。固定用ねじりコイルばね７３および解除用ねじりコイルばね７
４は、ばね線材を巻いたコイル部と、コイル部の両端から直線状にそれぞれ１本ずつ延び
る作用部と、を有し、これら作用部は、直線状の長さが異なっていて、長い作用部と短い
作用部とが略Ｖ字状をなしている。
【００３１】
そして、本体部７１は、固定用ねじりコイルばね７３の短い作用部の端部を係止するた
めの本体側係止部７３ａと、解除用ねじりコイルばね７４の短い作用部の端部を係止する
ための本体側係止部７４ａと、を有し、本体側係止部７３ａと本体側係止部７４ａとは、
本体部７１の側面に、側面視するとそれぞれが重なる同一位置となるように設けられてい
る。一方、レバー７２は、固定用ねじりコイルばね７３の長い作用部の端部を係止するた
めのレバー側係止部７３ｂと、解除用ねじりコイルばね７４の長い作用部の端部を係止す
るためのレバー側係止部７４ｂと、を有している。また、レバー側係止部７３ｂとレバー
側係止部７４ｂとは、略Ｕ字形の２つの腕が鉛直方向である場合に、レバー側係止部７３
ｂとレバー側係止部７４ｂとを結ぶ線が水平であり、且つ、回動中心７２ａに対して、左
右へ均等に離反した位置となるように設けられている。これらの係止部において、固定用
ねじりコイルばね７３および解除用ねじりコイルばね７４は、各作用部が回動自在に係止
されていて、略Ｖ字状をなす作用部の角度がさらに広がる方向の弾性力を、付与すること
ができる設定となっている。
【００３２】
このように係止されている固定用ねじりコイルばね７３は、本体部７１に設けられて位
置移動をしない本体側係止部７３ａへ短い作用部が係止され、レバー７２の回動に伴い位
置移動するレバー側係止部７３ｂへ長い作用部が係止されており、回動可能なレバー７２
へは、レバー側係止部７３ｂにおいて、略鉛直方向の上方へ向いた弾性力Ｐ１が作用して
いる。つまり、弾性力Ｐ１は、腕の長手方向にほぼ沿って作用している。このため、固定
用ねじりコイルばね７３による弾性力Ｐ１は、回動中心７２ａを中心にして、レバー７２
を回動させるような方向へはほとんど作用しておらず、レバー７２は、固定用ねじりコイ
ルばね７３の影響をほとんど受けない状態である。
【００３３】
これに対して、解除用ねじりコイルばね７４は、本体部７１に設けられて位置移動をし
ない本体側係止部７４ａへ短い作用部が係止され、レバー７２の回動に伴い位置移動する
レバー側係止部７４ｂへ長い作用部が係止されており、回動可能なレバー７２へは、レバ
ー側係止部７４ｂにおいて、略水平方向に射出口７１ａへ向いた弾性力Ｑ１が作用してい
る。つまり、弾性力Ｑ１は、レバー７２の腕の長手方向とほぼ直角な方向へ作用している
。この解除用ねじりコイルばね７４による弾性力Ｑ１は、回動中心７２ａを中心にして、
レバー７２のレバー側固定部７２ｂを筐体側固定部７８から離反させる方向へ、回動させ
るように作用する。即ち、レバー７２が図６に示す第２の位置にある場合、解除用ねじり
コイルばね７４は、レバー７２を第２の位置の近傍に保持するための弾性力Ｑ１を付与す
る。これにより、光源部７は、レバー側固定部７２ｂと筐体側固定部７８とが係合せず、
筐体への固定が解除されている状態を維持する。
【００３４】
次に、光学ユニット８に載置された光源部７を固定する手順について説明する。図７は
、レバーが第１の位置と第２の位置との中間にある場合の各ねじりコイルばねの姿勢を示
す側面図である。図７に示す固定用ねじりコイルばね７３および解除用ねじりコイルばね
７４は、レバー７２が図４の第２の位置から図５の第１の位置へ回動して光源部７を固定
しようとする途中における、それぞれの状態を示している。レバー７２が、レバー側固定
部７２ｂと筐体側固定部７８とを係合させる方向へ回動すると、レバー側係止部７３ｂに
作用する弾性力は、弾性力Ｐ１（図６）から弾性力Ｐ２へ変化し、レバー側係止部７４ｂ
に作用する弾性力は、弾性力Ｑ１（図６）から弾性力Ｑ２へ変化し、共にその作用方向も
変化する。
【００３５】
ここで、固定用ねじりコイルばね７３は、レバー７２が第２の位置にある場合、略鉛直
方向の上方へ向いていた弾性力Ｐ１が、レバー７２の回動に伴うレバー側係止部７３ｂの
移動により、次第に水平方向へ方向を変え弾性力Ｐ２となっている。弾性力Ｐ２は、レバ
ー側固定部７２ｂと筐体側固定部７８とを係合させる方向へレバー７２を回動させる分力
が、弾性力Ｐ１に比べより大きくなっている。そして、解除用ねじりコイルばね７４は、
レバー７２が第２の位置にある場合、水平方向に向いていた弾性力Ｑ１が、レバー７２の
回動に伴うレバー側係止部７４ｂの移動により、次第に鉛直方向へ方向を変え弾性力Ｑ２
となっている。弾性力Ｑ２は、レバー側固定部７２ｂと筐体側固定部７８とを係合させる
方向へレバー７２を回動させる分力が、弾性力Ｑ１に比べ小さくなっている。
【００３６】
図７に示すレバー７２の位置では、弾性力Ｐ２がレバー７２を回動させようとする分力
と、弾性力Ｑ２が弾性力Ｐ２とは逆方向へレバー７２を回動させようとする分力と、がほ
ぼ拮抗した状態となっている。この位置より第１の位置へレバー７２が回動すれば、弾性
力Ｐ２によるレバー７２を回動させる分力が、弾性力Ｑ２によるレバー７２を回動させる
分力より大きくなり、レバー７２を第１の位置へ回動させて、光源部７を固定することが
より容易になる。同様に、この位置より第２の位置へレバー７２が回動すれば、弾性力Ｑ
２によるレバー７２を回動させる分力が、弾性力Ｐ２によるレバー７２を回動させる分力
より大きくなり、レバー７２を第２の位置へ回動させて、光源部７の固定を解除すること
がより容易になる。
【００３７】
次に、図８は、レバーが第１の位置にある場合の各ねじりコイルばねの姿勢を示す側面
図である。図８は、レバー７２が第１の位置へ回動し、光源部７が固定された状態を示し
ている。第１の位置のレバー７２において、固定用ねじりコイルばね７３は、レバー側係
止部７３ｂに作用する弾性力Ｐ３が、レバー７２の回動に伴うレバー側係止部７３ｂの移
動により次第に作用方向を変えて、レバー７２の腕の長手方向とほぼ直角な方向へ作用し
ている。これにより、レバー７２は、レバー側固定部７２ｂと筐体側固定部７８との係合
を確実に保持して、光源部７を光学ユニット８へ固定することができる。
【００３８】
そして、解除用ねじりコイルばね７４は、第１の位置のレバー７２において、レバー側
係止部７４ｂに作用する弾性力Ｑ３が、レバー７２の回動に伴うレバー側係止部７４ｂの
移動により次第に方向を変えて、レバー７２の腕の長手方向にほぼ沿った方向へ作用して
いる。そのため、弾性力Ｑ３は、回動中心７２ａを中心にして、レバー７２を回動させる
ような方向へ、ほとんど作用しておらず、レバー７２は、解除用ねじりコイルばね７４の
影響を受けない状態となっている。このように、レバー７２が第１の位置にある場合、固
定用ねじりコイルばね７３は、レバー７２を第１の位置に保持するための弾性力Ｐ３を付
与し、レバー側固定部７２ｂと筐体側固定部７８とを係合させて、光源部７を筐体へ確実
に固定することができる。
【００３９】
また、光源部７が載置されただけで固定されていなければ、レバー７２は、図４に示す
ように、ほぼ鉛直になっており、光源蓋２ａを閉めることができない。一方、レバー７２
を斜めにして光源部７を固定すれば、光源蓋２ａを閉めることができる。このように、レ
バー７２は、フールプルーフの役目も果たしている。
【００４０】
以下、本実施形態の主要な効果をまとめて記載する。
【００４１】
プロジェクタ１は、光源部７をレバー７２の操作によって、光学ユニット８に対して着
脱することが可能である。つまり、光源部７は、光学ユニット８へ載置され、レバー７２
を第１の位置に回動すれば、確実に固定された状態となっている。一方、レバー７２が第
２の位置にあれば、光源部７は、レバー７２による固定が解除されており、プロジェクタ
１からの取り出しが可能な状態となっている。このように、光源部７の有するレバー７２
の回動位置によって、光源部７の固定または固定の解除ができるため、光源部７の交換等
を工具なしで、容易に且つ迅速に行える。
【００４２】
また、レバー７２が第１の位置にある場合、レバー７２には、固定用ねじりコイルばね
７３による弾性力Ｐ３が作用してレバー７２を第１の位置へ保持し、レバー７２が第２の
位置にある場合、レバー７２には、解除用ねじりコイルばね７４による弾性力Ｑ１が作用
してレバー７２を第２の位置へ保持する。このように、光源部７の着脱をするためのレバ
ー７２は、ばねの弾性力を利用した単純な構成であるため、付加部品として光源部７への
取り付けが容易であり、コストの抑制も図れる。
【００４３】
光源部７は、レバー７２が第１の位置にある場合、固定用ねじりコイルばね７３の弾性
力Ｐ３によって、レバー側固定部７２ｂと筐体側固定部７８とが係合状態を弾性的に維持
している。これにより、プロジェクタ１の搬送、投射姿勢変更、天吊りによる設置、非稼
動時の収納姿勢等に左右されることなく、光源部７は、光学ユニット８と一体になるよう
確実に固定される。
【００４４】
また、プロジェクタ１は上記の実施形態に限定されるものではなく、次に挙げる変形例
のような形態であっても、実施形態とほぼ同様な効果が得られる。
【００４５】
光源部７に設けられている固定用ねじりコイルばね７３および解除用ねじりコイルばね
７４は、各１個の設定である。しかし、各１個の設定に限定されるものでなく、それぞれ
複数個を設ける設定であっても良い。これにより、同種のねじりコイルばねを用いて弾性
力の設定調整が簡単に行えると共に、第１の位置における弾性力を第２の位置における弾
性力より強くして、光源部７をよりしっかりと固定する等の操作も容易となる。
【００４６】
また、固定用ねじりコイルばね７３および解除用ねじりコイルばね７４は、本体側係止
部７３ａ，７４ａがレバー側係止部７３ｂ，７４ｂより下方に設けられているが、上下位
置を逆にした設定であっても良い。さらに、ばね線材を巻いたコイル部の両端から延びる
作用部は、長短が対になっている設定であるが、同じ長さであっても良い。これらの設定
においても、実施形態と同様の効果が得られる。
【００４７】
固定用ねじりコイルばね７３および解除用ねじりコイルばね７４の本体側係止部７３ａ
，７４ａは、側面視するとそれぞれが重なる同一位置となるように設けられ、双方とも均
一な弾性力を付与しているが、これに限定されずに同一位置でなくても良い。この設定で
も、実施形態に比べ双方の弾性力のバランスがやや崩れるが、レバー７２の回動、光源部
７の固定および固定解除の操作は、ほぼ同様に行える。
【００４８】
そして、レバー７２のレバー側固定部７２ｂは、レバー７２の端部のＬ字状に屈曲した
先端部に設けられているが、レバー７２の端部は、Ｌ字状に屈曲していない設定であって
も良い。この設定においても、実施形態とほぼ同様の固定効果が得られる。
【００４９】
レバー７２の回動中心７２ａは、第１の位置または第２の位置をオペレータに認識させ
るために、第１の位置および第２の位置においてクリック感のある構成を有していても良
い。さらに、第２の位置において、レバー７２を、鉛直方向に確実に保持するようストッ
パー等を設けても良い。
【００５０】
また、光源部７を固定するための筐体側固定部７８は、光学ユニット８の支持体８７に
設けられているが、下部外装３の内底面に直接設けられていても良い。
【００５１】
さらに、プロジェクタ１から光源部７を着脱するための光源蓋２ａは、上部外装２の上
面側に設けられているが、この位置に限定されることなく、側面側、背面側、下部外装３
の下面３ａ等に設けられても良い。
【００５２】
実施形態におけるプロジェクタ１は、光学変調部８４として液晶パネルを用いているが
、液晶パネル以外のマイクロミラーアレイデバイス等を用いても良い。これにより、種々
の光学変調部を有するプロジェクタに光源部７を搭載でき、光源部７の迅速な交換が図れ
る。
【図面の簡単な説明】
【００５３】
【図１】（ａ）本実施形態に係るプロジェクタを正面上方から見た斜視図図、（ｂ）プロジェクタを正面下方から見た斜視図。
【図２】プロジェクタの機構部の構成を示す斜視図。
【図３】（ａ）光源部を取り外した状態の光学ユニットを示す斜視図、（ｂ）光源部を取り外した状態の光学ユニットを示す正面図。
【図４】レバーが第２の位置にある状態の光源部が載置された光学ユニットを示す斜視図。
【図５】レバーが第１の位置にあり光源部が固定された状態の光学ユニットを示す斜視図。
【図６】レバーが第２の位置にある場合の各ねじりコイルばねの姿勢を示す側面図。
【図７】レバーが第１の位置と第２の位置との中間にある場合の各ねじりコイルばねの姿勢を示す側面図。
【図８】レバーが第１の位置にある場合の各ねじりコイルばねの姿勢を示す側面図。
【符号の説明】
【００５４】
１…プロジェクタ、２…筐体としての上部外装、２ａ…光源蓋、３…筐体としての下部
外装、４…吸気口、５…排気口、７…光源部、８…光学ユニット、１５…吸気ファン、１
６…排気ユニット、２０…回路基板、７１…本体部、７２…レバー、７２ａ…回動中心、
７２ｂ…レバー側固定部、７３…第１の弾性部材としての固定用ねじりコイルばね、７３
ａ…本体側係止部、７３ｂ…レバー側係止部、７４…第２の弾性部材としての解除用ねじ
りコイルばね、７４ａ…本体側係止部、７４ｂ…レバー側係止部、７８…筐体側固定部、
８１…インテグレータ照明部、８７…筐体としての支持体。
【図１】
2010085555.tif 000003
【図２】
2010085555.tif 000004
【図３】
2010085555.tif 000005
【図４】
2010085555.tif 000006
【図５】
2010085555.tif 000007
【図６】
2010085555.tif 000008
【図７】
2010085555.tif 000009
【図８】
2010085555.tif 000010